(57)【要約】【課題】  デジタル記録方式の記録媒体を用いてよりアナログレコードプレーヤに近い操作感及び再生音及びスクラッチ音を得る再生装置を提供する。【解決手段】  本発明の再生装置は、モータと、前記モータを所定の回転数で回転するように制御駆動するモータ駆動部と、前記モータによって回転駆動され、外部から押圧力又は回転力を与えることによって回転を加速又は減速又は停止又は逆回転可能であるターンテーブルと、前記ターンテーブルの回転速度を検出し、回転速度情報を出力する回転速度検出部と、デジタル音声信号が記録された記録媒体から前記回転速度情報に応じた再生速度で前記音声信号を再生する信号再生部と、前記回転速度に応じて再生された前記音声信号の周波数対ゲイン特性を変更する特性変更部と、を有する。【選択図】    図１
2005346772.tif 000002
【特許請求の範囲】
【請求項１】
モータと、
前記モータを所定の回転数で回転するように制御駆動するモータ駆動部と、
前記モータによって回転駆動され、外部から押圧力又は回転力を与えることによって回転を加速又は減速又は停止又は逆回転可能であるターンテーブルと、
前記ターンテーブルの回転速度を検出し、回転速度情報を出力する回転速度検出部と、
デジタル音声信号が記録された記録媒体から前記回転速度情報に応じた再生速度で前記音声信号を再生する信号再生部と、
前記回転速度に応じて再生された前記音声信号の周波数対ゲイン特性を変更する特性変更部と、
を有することを特徴とする再生装置。
【請求項２】
前記特性変更部は、再生された前記音声信号の特定の周波数帯域を強調又は弱めることを特徴とする請求項１に記載の再生装置。
【請求項３】
前記特定の周波数帯域は、前記回転速度から算出されることを特徴とする請求項２に記載の再生装置。
【請求項４】
前記信号再生部は、無負荷時の回転数に対する前記ターンテーブルの現在の回転数の比と記録速度とを掛け合わせた再生速度で前記音声信号を前記記録媒体から再生し、前記音声信号を記録時より前記比だけ周波数を変化させて出力し、
前記特性変更部は、
それぞれ平坦でなく且つ２つの特性を合成した周波数対ゲイン特性が平坦である第１の周波数対ゲイン特性及び第２の周波数対ゲイン特性の中の少なくともいずれか１つを記憶し、
記録時に音声信号を前記第１の周波数対ゲイン特性でイコライジングし、更に再生時に周波数が記録時より前記比だけ変化した前記音声信号を前記第２の周波数対ゲイン特性でイコライジングした場合に、再生された前記音声信号が受けた記録及び再生のイコライジングを合成した周波数対ゲイン特性と同一の特性で、再生された前記音声信号の周波数対ゲイン特性を変更する、
ことを特徴とする請求項１に記載の再生装置。
【請求項５】
前記信号再生部は、無負荷時の回転数に対する前記ターンテーブルの現在の回転数の比と記録速度とを掛け合わせた再生速度で前記音声信号を前記記録媒体から再生し、再生時の前記音声信号の周波数が記録時と変わらないように、前記音声信号を補間して読み出して出力し、
前記特性変更部は、
それぞれ平坦でなく且つ２つの特性を合成した周波数対ゲイン特性が平坦である第１の周波数対ゲイン特性及び第２の周波数対ゲイン特性の中の少なくともいずれか１つを記憶し、
記録時に音声信号を前記第１の周波数対ゲイン特性でイコライジングし、更に再生時に周波数が記録時より前記比だけ変化した前記音声信号を前記第２の周波数対ゲイン特性でイコライジングした場合に、再生された前記音声信号が受けた記録及び再生のイコライジングを合成した周波数対ゲイン特性と同一の特性で、再生された前記音声信号の周波数対ゲイン特性を変更する、
ことを特徴とする請求項１に記載の再生装置。
【請求項６】
前記第１の周波数対ゲイン特性がＲＩＡＡ（Recording Industry Association of America：全米レコード協会）規格のイコライジング特性であり、前記第２の周波数対ゲイン特性がＲＩＡＡ規格のイコライジング特性の逆特性であることを特徴とする請求項４又は請求項５に記載の再生装置。
【請求項７】
前記特性変更部は、周波数対ゲイン特性がそれぞれ異なる１又は複数のエフェクトタイプを記憶し、操作者により選択されたエフェクトタイプに応じて、再生された前記音声信号の周波数対ゲイン特性を変更することを特徴とする請求項１から請求項６の何れか１項に記載の再生装置。
【請求項８】
記憶媒体の固有情報から導出された記憶媒体識別情報と、エフェクトタイプと、を対応付けたテーブルを記憶する記憶部を更に有し、
前記記憶媒体は取り換え可能であって、
前記特性変更部は、音声信号を再生する前記記憶媒体の固有情報から記憶媒体識別情報を導出し、その記憶媒体識別情報に基づいて前記テーブルからエフェクトタイプを読み出し、そのエフェクトタイプに基づいて再生された前記音声信号を変更することを特徴とする請求項７に記載の再生装置。
【請求項９】
前記テーブルが、更に前記記録媒体識別情報に対応付けて、その記憶媒体から再生した音声信号を変更するためにテーブルに記載されたエフェクトタイプを読み出した最後の時、又は前記最後の時から現在までにその記憶媒体以外の記憶媒体から再生した音声信号を変更するためにテーブルに記載されたエフェクトタイプを読み出した回数を示すインデックス値を記憶し、
前記記憶部に新たな情報を書き込むための記録領域が不足する時、前記インデックス値に基づいて、前記最後の時が最も古い記録媒体識別情報、又は前記回数が最も多い記録媒体識別情報を検索し、その記録媒体識別情報の記録領域に新たな情報を書き込む、
ことを特徴とする請求項８に記載の再生装置。
【請求項１０】
外部から押圧力又は回転力を与えることによって回転を加速又は減速又は停止又は逆回転可能であるターンテーブルを所定の回転数で回転駆動するステップと、
前記ターンテーブルの回転速度を検出し、回転速度情報を出力する回転速度検出ステップと、
デジタル音声信号が記録された記録媒体から前記回転速度情報に応じた再生速度で前記音声信号を再生する信号再生ステップと、
前記回転速度に応じて再生された前記音声信号の周波数対ゲイン特性を変更する特性変更ステップと、
を有することを特徴とする再生方法。
【発明の詳細な説明】
【技術分野】
【０００１】
本発明は、音声信号を加工して再生する再生装置及び再生方法に関する。
【背景技術】
【０００２】
ＬＰレコード（Long Playing Record）等のアナログレコードは、針がアナログレコードの面に刻まれたＶ字溝に沿って走査し表面の凹凸を感知することによって再生音を発する。従来、ディスクジョッキー（ＤＪ）が、アナログレコードプレーヤでアナログレコードを再生しながら、回転しているターンテーブルに手操作等により回転力又は押圧力を加えて回転速度を強制的に変化させることにより、いわゆるスクラッチ音（アナログレコードの回転速度を標準回転速度から急速に変化させた時にアナログレコードから再生される音）を出力させる演奏方法（以下「ＤＪプレイ」と呼ぶ）が知られている。
【０００３】
デジタル技術の進展に伴い、ＣＤ（Compact Disk）やＤＶＤ（Digital Video Disk）等のデジタル記録方式の記録媒体が普及し、アナログレコードの市場は縮小しつつある。しかし、レコードと比較してはるかにディスクが高速回転し、高精度の光ピックアップ（又は磁気ヘッド）の制御を必要とするデジタル記録媒体において操作者が手でディスクを操作することはできないこと、及び誤り訂正符号化されたデータが分散記録されたデジタル記録媒体を往復運動させて音声信号の変化音（スクラッチ音の発生等）を再生することは出来ないこと等の理由により、ＣＤやＤＶＤ等のデジタル式記録媒体を用いて上記のＤＪプレイを行うことは不可能である。
【０００４】
音声信号が記録されたＣＤ及びＤＶＤ等のデジタル記録方式の記録媒体を用いた再生装置において、ＤＪプレイに近似したプレイを可能にする従来例１の再生装置が、特開２００２−３４３０２６号公報（特許文献１）及び特開２００２−３５２５１３号公報（特許文献２）に開示されている。
【０００５】
従来例１の再生装置は、回動自在なジョグダイヤルと、ジョグダイヤルに掛かる押圧力を検知する圧力検知部とを有し、停止した状態のジョグダイヤルを回動させ、及び、ジョグダイヤルの上面を押圧することによって、ジョグダイヤルの回動量と圧力検知部が検知した押圧力とに応じて、記録媒体からの音声信号の再生速度を変化させるものである。これにより、ＣＤ及びＤＶＤ等のデジタル記録方式の記録媒体を用いて、アナログレコードの回転速度を変化させた時のように、音声信号の再生速度を可変することができる。
【０００６】
アナログレコードにおいては、録音時に、ゲインが周波数帯域の低域部分では小さく高域部分では大きい周波数対ゲイン特性（図１０のＡ）で音声信号をイコライジングして記録する。この録音時の周波数対ゲイン特性は、「ＲＩＡＡ特性」（図１０のＡ参照）と呼ばれ、ＲＩＡＡ（Recording Industry Association of America：全米レコード協会）規格により統一されている。また再生時に、ゲインが周波数帯域の低域部分では大きく高域部分では小さい周波数対ゲイン特性（「ＲＩＡＡ特性の逆特性」、図１０のＢ）で音声信号をイコライジングして再生している。記録用周波数対ゲイン特性と再生用周波数対ゲイン特性とを合成した周波数対ゲイン特性は、平坦である（周波数に対してゲインが一定）。
【０００７】
アナログレコードプレーヤにおいて、アナログレコードの回転速度が標準速度（記録された信号が元の周波数で再生される速度）である場合は、上記のように音源が記録用イコライジング及び再生用イコライジングによって平坦な周波数対ゲイン特性でそのまま復元されて再生される。しかし、ＲＩＡＡ特性は周波数によって異なるゲイン特性を有する故に、アナログレコードの回転速度が標準速度より早い又は遅い場合は、ＲＩＡＡ特性とＲＩＡＡ特性の逆特性とを合成した周波数対ゲイン特性は平坦でなく、ＲＩＡＡ特性の逆特性でイコライジングした音声再生信号は、音源と異なる周波数スペクトルを有する。
【０００８】
具体例を挙げて説明する。図１０〜１３は、横軸は周波数を対数表示し（単位Ｈｚ）、縦軸はゲインを線形表示する（単位ｄＢ。所定の周波数におけるゲインを０ｄＢとする相対値）周波数対ゲイン特性を示す図である。図１０のＡはＲＩＡＡ特性を示す。ＲＩＡＡ特性は、１ｋＨｚのゲインを０ｄＢとした時、５０Ｈｚ以下においてゲインが−２０ｄＢであり、５０〜５００Ｈｚにおいて６ｄＢ／ｏｃｔの傾きを有し、５００〜２１２０Ｈｚの周波数のゲインが０ｄＢであり、２１２０Ｈｚ以上において６ｄＢ／ｏｃｔの傾きを有する。
【０００９】
図１０のＢはＲＩＡＡ特性の逆特性を示す。ＲＩＡＡ特性の逆特性は、１ｋＨｚのゲインを０ｄＢとした時、５０Ｈｚ以下においてゲインが＋２０ｄＢであり、５０〜５００Ｈｚにおいて−６ｄＢ／ｏｃｔの傾きを有し、５００〜２１２０Ｈｚの周波数のゲインが０ｄＢであり、２１２０Ｈｚ以上において−６ｄＢ／ｏｃｔの傾きを有する。
図１０のＡ及びＢのグラフは、ゲイン０ｄＢの横軸を中心として上下に対称であり、ＲＩＡＡ特性（図１０のＡ）及びその逆特性（図１０のＢ）を合成した周波数対ゲイン特性は平坦である。
【００１０】
アナログレコードの回転速度が標準速度の２倍の時について考える。アナログレコードの回転速度が２倍になると、再生速度は２倍となり、再生信号の周波数は音源の周波数に比べて１オクターブ高くなる。例えば、図１０において、音源のうち５０Ｈｚの音（点Ｐ１）は、２倍の回転速度で再生された場合、１００Ｈｚとなり（点Ｐ１’）、標準速度での再生時に比べて周波数対ゲイン特性変更分のレベルが６ｄＢ低くなる。図１１（ａ）に、再生信号の周波数（音源の周波数の２倍）を横軸とした場合の、記録時及び再生時の周波数対ゲイン特性変更のグラフＣ及びＢを示す。なお、横軸の下の括弧付きの数字は、対応する記録時の周波数を示す。図１２は、再生速度が２倍の時にアナログレコードプレーヤが出力する再生信号の周波数対ゲイン特性（図１１（ａ）におけるＣとＢとの差分）を示す。図１２において、２倍の速度で再生された５００Ｈｚ〜４２４０Ｈｚの音声信号は、１００Ｈｚ〜５００Ｈｚの音声信号と比較して最大６ｄＢ強調される。なお、図１２において、再生速度が２倍の時はゲインを６ｄＢ上げている。
【００１１】
アナログレコードの回転速度が標準速度の１／２倍になると、再生速度は１／２倍となり、再生信号の周波数は音源の周波数に比べて１オクターブ低くなる。例えば、図１０において、音源のうち５００Ｈｚの音（点Ｐ２）は、１／２倍の回転速度で再生された場合、２５０Ｈｚとなり（点Ｐ２’）、標準速度での再生時に比べて周波数対ゲイン特性変更分のレベルが６ｄＢ高くなる。図１１（ｂ）に、再生信号の周波数（音源の周波数の１／２倍）を横軸とした場合の、記録時及び再生時の周波数対ゲイン特性変更のグラフＤ及びＢを示す。なお、横軸の下の括弧付きの数字は、対応する記録時の周波数を示す。図１３は、再生速度が１／２倍の時にアナログレコードプレーヤが出力する再生信号の周波数対ゲイン特性（図１１（ｂ）におけるＤとＢとの差分）を示す。図１３において、１／２倍の速度で再生された２５Ｈｚ〜５００Ｈｚ及び１０６０Ｈｚ以上の音声信号は、５００Ｈｚ〜１０６０Ｈｚの音声信号と比較して最大６ｄＢ強調される。
【００１２】
上記のようにアナログレコードの回転速度が変化した時には、回転速度に応じた周波数対ゲイン特性で再生信号がイコライジングされるので、音源とは異質の独特のスクラッチ音が出力される。
【００１３】
従来例１の再生装置は、操作者がジョグダイヤルを操作するのに応じて、再生速度を変化させる。しかし、単に再生速度を変化させるだけで音声信号の周波数対ゲイン特性は平坦な（一定の）ままであるから、従来例１の再生装置による再生は、ＤＪプレイのような固有の効果が生ぜず、平板で面白味のないものであった。従来例１の再生装置を用いてジョグダイヤルを操作して得られる再生音は、アナログレコードプレーヤを用いてＤＪプレイを行った時のスクラッチ音とは全く異なったものであった。アナログレコードプレーヤによるＤＪプレイに慣れ親しんだ人にとっては、従来例１の再生装置から出力される再生音は違和感を感じるものであった。
【００１４】
特開平５−２１７２７３号公報（特許文献３）に、上記問題を解決し、ＲＩＡＡ特性に基く周波数対ゲイン特性で音声信号をイコライジングする従来例２の再生装置が、開示されている。
【００１５】
従来例２の再生装置は、回転自在なトラックボールと、トラックボールの回転速度を検出する回転速度検出部と、回転速度検出部が検出したトラックボールの回転速度に応じた速度で変化するアドレスを出力するアドレスコントロールと、記録媒体からの再生信号をＲＩＡＡ特性でイコライジングするＲＩＡＡ記録イコライザと、記録イコライザの出力信号を一時蓄積し、アドレスコントロールが出力するアドレスに従って信号を出力するシフトレジスタと、シフトレジスタが出力する音声信号を逆ＲＩＡＡ特性でイコライジングするＲＩＡＡ再生イコライザと、を有する。この構成により、ＣＤ及びＤＶＤ等のデジタル記録方式で記録された記録媒体を用いて、アナログレコードプレーヤを操作した時に得られる音に近い音質のスクラッチ音を出力することが出来る。
【特許文献１】特開２００２−３４３０２６号公報
【特許文献２】特開２００２−３５２５１３号公報
【特許文献３】特開平５−２１７２７３号公報
【発明の開示】
【発明が解決しようとする課題】
【００１６】
しかしながら、従来例１及び従来例２の再生装置は、停止中のジョグダイヤルやトラックボール等を操作して演奏するものであり、アナログレコードプレーヤのターンテーブルを操作する時の操作感とは大きく異なり、アナログレコードプレーヤでの操作に慣れ親しんだ人にとっては違和感を感じるものである。
【００１７】
また、従来例２の再生装置は、アナログレコードプレーヤに使用する記録イコライザ及び再生イコライザと同様の各イコライザを回路内に組み込む必要があり、記録媒体の再生処理に時間が掛かり、演奏速度に間に合わない場合がある。また、回路規模が大きくなり、製造コストの高いものである。
【００１８】
また、アナログレコードプレーヤは、通常、針（カートリッジ）を付け替えることによって、出力される再生音に所定の特徴を付加することができるが、従来例１及び従来例２の再生装置は、種々のカートリッジの周波数対ゲイン特性を再現しない。
【００１９】
上記問題を鑑み、本発明は、ＣＤ及びＤＶＤ等のデジタル記録方式で記録された記録媒体を再生する再生装置及び再生方法において、自走するターンテーブルの回転速度を変更して操作することを可能とし、かつ、デジタル信号処理によってターンテーブルの回転速度に応じて再生信号の周波数対ゲイン特性をＲＩＡＡ特性に基いて変更することにより、よりアナログレコードプレーヤに近い操作感及びスクラッチ音を得ることができる再生装置及び再生方法を提供することを目的とする。
【００２０】
また、本発明は、記録媒体内の音声信号を再生する際に、アナログレコードプレーヤの種々のカートリッジが持つ各周波数対ゲイン特性に変更する機能を有する、よりアナログレコードプレーヤの機能に近い再生装置及び再生方法を提供することを目的とする。
【課題を解決するための手段】
【００２１】
上記問題を解決するために、本発明は以下の構成を有する。請求項１に記載の発明は、モータと、前記モータを所定の回転数で回転するように制御駆動するモータ駆動部と、前記モータによって回転駆動され、外部から押圧力又は回転力を与えることによって回転を加速又は減速又は停止又は逆回転可能であるターンテーブルと、前記ターンテーブルの回転速度を検出し、回転速度情報を出力する回転速度検出部と、デジタル音声信号が記録された記録媒体から前記回転速度情報に応じた再生速度で前記音声信号を再生する信号再生部と、前記回転速度に応じて再生された前記音声信号の周波数対ゲイン特性を変更する特性変更部と、を有することを特徴とする再生装置である。
【００２２】
本発明によれば、ＣＤ（CompactDisc）やＤＶＤ（Digital Video Disc）等に記録されたデジタル音声信号を再生する場合に、記録媒体の駆動機構と別個に設けたターンテーブルの回転速度の変化に応じて、信号再生部が記録媒体から音声信号を読み出す速度を調節し、及び、読み出した音声信号に回転速度に応じた所定の周波数対ゲイン特性変更処理を施すことにより、ディスクジョッキー（ＤＪ）があたかもアナログレコードの回転速度を手で強制的に変化させたかのような再生音を、接続したスピーカ等から出力することが可能となる。
【００２３】
また、本発明によれば、所定の速度で回転するターンテーブルにディスクジョッキー（ＤＪ）等のユーザが与える押圧力又は回転力に応じてその回転速度を可変できるため、ユーザはあたかもターンテーブルをアナログレコードそのものであるかのように扱うことができ、アナログレコードでの演奏に慣れ親しんだユーザを満足させるものである。
【００２４】
回転速度検出部の構成は任意である。例えば、外周に沿って多数のスリットを配設した円板をターンテーブルと同軸に配設し、発光ダイオードとフォトトランジスタとからなる光カプラによってスリットを通過する光を検出し、所定時間内のパルス数をカウントすることによってターンテーブルの回転方向と回転速度とを検出する。又は例えば、外周に沿って多数の磁極を着磁した円板状の磁石をターンテーブルと同軸に配設し、磁界又は磁束を検出する磁気検出素子によって磁極の移動を検出し、所定時間内のパルス数をカウントすることによってターンテーブルの回転方向と回転速度とを検出する。
【００２５】
好ましくは、更に下記の構成とする。ターンテーブルの大きさはアナログレコードプレーヤのターンテーブルと同じ大きさにする。即ちターンテーブルの径を、アナログレコードの直径よりも大きな径とする。ターンテーブルの回転数をアナログレコードプレーヤのターンテーブルの回転数と同一（典型的には４５ｒｐｍ又は３３＋（１／３）ｒｐｍ）にする。ターンテーブルのモータトルクをアナログレコードプレーヤのターンテーブルと同じに設定する。これにより、ユーザは更にアナログレコードプレーヤに近い操作感を得ることができる。
【００２６】
デジタル音声信号が記録された記録媒体は任意である。例えばＣＤ、ＤＶＤ、ＭＯ、ＭＤ等の再生専用、追記型又は書き替え可能で取り替え可能な光、光磁気又は磁気ディスク、ＳＤカード、メモリスティック等の半導体メモリ、取り替えできないハードディスク、チューナから取り込んだ音楽等を記憶するＲＡＭ等である。
再生装置は、記録機能を有していても良い。
【００２７】
請求項２に記載の発明は、前記特性変更部は、再生された前記音声信号の特定の周波数帯域を強調又は弱めることを特徴とする請求項１に記載の再生装置である。
【００２８】
本発明は、例えばＣＤ（Compact Disc）等の記録媒体から読み取った音声信号をイコライジングする処理において、回転速度情報に応じて所定の周波数帯域のゲインを大きくし又は小さくすることで、ユーザがターンテーブルを操作することに合わせて特有の再生音（例えばスクラッチ音）を出力することができる。
【００２９】
請求項３に記載の発明は、前記特定の周波数帯域は、前記回転速度から算出されることを特徴とする請求項２に記載の再生装置である。
【００３０】
本発明によれば、ターンテーブルの回転速度に応じてゲインを増減する周波数帯域を変更することにより、ターンテーブルをスクラッチ（回転方向の前後に素早く動かすこと）した時、あたかもアナログレコードをスクラッチしたかのような再生音（スクラッチ音）を出力することができ、アナログレコードでの再生音及びスクラッチ音に慣れ親しんだユーザを満足させることができる。
【００３１】
請求項４に記載の発明は、前記信号再生部は、無負荷時の回転数に対する前記ターンテーブルの現在の回転数の比と記録速度とを掛け合わせた再生速度で前記音声信号を前記記録媒体から再生し、前記音声信号を記録時より前記比だけ周波数を変化させて出力し、前記特性変更部は、それぞれ平坦でなく且つ２つの特性を合成した周波数対ゲイン特性が平坦である第１の周波数対ゲイン特性及び第２の周波数対ゲイン特性の中の少なくともいずれか１つを記憶し、記録時に音声信号を前記第１の周波数対ゲイン特性でイコライジングし、更に再生時に周波数が記録時より前記比だけ変化した前記音声信号を前記第２の周波数対ゲイン特性でイコライジングした場合に、再生された前記音声信号が受けた記録及び再生のイコライジングを合成した周波数対ゲイン特性と同一の特性で、再生された前記音声信号の周波数対ゲイン特性を変更する、ことを特徴とする請求項１に記載の再生装置である。
【００３２】
本発明の再生装置を用いてユーザがターンテーブルをスクラッチ（回転方向の前後に素早く動かすこと）した時、あたかもアナログレコードをスクラッチしたかのような再生音（スクラッチ音）を出力することができ、アナログレコードでの再生音及びスクラッチ音に慣れ親しんだユーザを満足させることができる。
好ましくは、回転数の変化に基づいて、再生された音声信号が受けた記録及び再生のイコライジングを合成した周波数対ゲイン特性を導出し、合成した周波数対ゲイン特性で再生信号をイコライジングする。これにより１つのイコライジングフィルタで、アナログレコードプレーヤを用いたＤＪプレイと同等の効果を生じることができる。
【００３３】
請求項５に記載の発明は、前記信号再生部は、無負荷時の回転数に対する前記ターンテーブルの現在の回転数の比と記録速度とを掛け合わせた再生速度で前記音声信号を前記記録媒体から再生し、再生時の前記音声信号の周波数が記録時と変わらないように、前記音声信号を補間して読み出して出力し、前記特性変更部は、それぞれ平坦でなく且つ２つの特性を合成した周波数対ゲイン特性が平坦である第１の周波数対ゲイン特性及び第２の周波数対ゲイン特性の中の少なくともいずれか１つを記憶し、記録時に音声信号を前記第１の周波数対ゲイン特性でイコライジングし、更に再生時に周波数が記録時より前記比だけ変化した前記音声信号を前記第２の周波数対ゲイン特性でイコライジングした場合に、再生された前記音声信号が受けた記録及び再生のイコライジングを合成した周波数対ゲイン特性と同一の特性で、再生された前記音声信号の周波数対ゲイン特性を変更する、ことを特徴とする請求項１に記載の再生装置である。
【００３４】
回転数の変化に応じたクロックで記録媒体からデジタル信号を読み出すと、一般に音声信号を記録時より回転数の変化比だけ周波数が変化する（請求項４に記載の発明）。本発明においては、回転数の変化に応じたクロックで記録媒体から読み出した音声信号を、補間により記録時の周波数に戻す。
本発明の再生装置を用いてユーザがターンテーブルをスクラッチ（回転方向の前後に素早く動かすこと）した時、再生信号の周波数は記録時と同一で、イコライジング特性がＤＪプレイに応じて変化するという従来のアナログレコードプレーヤではできなかった新たなＤＪプレイが可能となる。
【００３５】
好ましくは、回転数の変化に基づいて、再生された音声信号が受けた記録及び再生のイコライジングを合成した周波数対ゲイン特性を演算等により導出し、合成した周波数対ゲイン特性で再生信号をイコライジングする。これにより１つのイコライジングフィルタで、ＤＪプレイの効果を生み出すことができる。
【００３６】
請求項６に記載の発明は、前記第１の周波数対ゲイン特性がＲＩＡＡ（Recording Industry Association of America：全米レコード協会）規格のイコライジング特性であり、前記第２の周波数対ゲイン特性がＲＩＡＡ規格のイコライジング特性の逆特性であることを特徴とする請求項４又は請求項５に記載の再生装置である。
【００３７】
本発明は、特にアナログレコードの規格であるＲＩＡＡに基いて、音声信号の所定の周波数帯域においてゲインを調節することで、あたかもアナログレコードで再生したかのような再生音を出力することができ、アナログレコードでの再生音に慣れ親しんだユーザを満足させるものである。
【００３８】
請求項７に記載の発明は、前記特性変更部は、周波数対ゲイン特性がそれぞれ異なる１又は複数のエフェクトタイプを記憶し、操作者により選択されたエフェクトタイプに応じて、再生された前記音声信号の周波数対ゲイン特性を変更することを特徴とする請求項１から請求項６の何れか１項に記載の再生装置である。
【００３９】
本発明は、例えばアナログレコードプレーヤの種々の針（カートリッジ）の特性を再現するような、複数の予め用意されたエフェクトタイプを記憶し、その中からユーザが所望のエフェクトタイプを選択可能とする。ユーザはエフェクトタイプを選択することにより、あたかもアナログレコードプレーヤのカートリッジを取り替えたかのような効果を得ることができ、再生音にヴァリエーションを与えることができる。
【００４０】
請求項８に記載の発明は、記憶媒体の固有情報から導出された記憶媒体識別情報と、エフェクトタイプと、を対応付けたテーブルを記憶する記憶部を更に有し、前記記憶媒体は取り替え可能であって、前記特性変更部は、音声信号を再生する前記記憶媒体の固有情報から記憶媒体識別情報を導出し、その記憶媒体識別情報に基づいて前記テーブルからエフェクトタイプを読み出し、そのエフェクトタイプに基づいて再生された前記音声信号を変更することを特徴とする請求項７に記載の再生装置である。
【００４１】
本発明によれば、記録媒体の固有情報（例えばトラック情報）を用いて所定の演算を行うことにより、記録媒体を識別するための識別ＩＤを生成する。更に、その識別ＩＤと対応付けて選択されたエフェクトタイプを記憶部に記憶させることにより、次回、同じ記録媒体が再生された場合に、記憶部の記憶情報から識別ＩＤを検索し、前回と同じエフェクトタイプを読み込んで選択させることができる。本発明の再生装置においては、過去に再生した記録媒体を次に再生する場合にエフェクトタイプの設定を行う必要がない。
【００４２】
請求項９に記載の発明は、前記テーブルが、更に前記記録媒体識別情報に対応付けて、その記憶媒体から再生した音声信号を変更するためにテーブルに記載されたエフェクトタイプを読み出した最後の時、又は前記最後の時から現在までにその記憶媒体以外の記憶媒体から再生した音声信号を変更するためにテーブルに記載されたエフェクトタイプを読み出した回数を示すインデックス値を記憶し、前記記憶部に新たな情報を書き込むための記録領域が不足する時、前記インデックス値に基づいて、前記最後の時が最も古い記録媒体識別情報、又は前記回数が最も多い記録媒体識別情報を検索し、その記録媒体識別情報の記録領域に新たな情報を書き込む、ことを特徴とする請求項８に記載の再生装置である。
【００４３】
記憶部の記憶容量の限られた再生装置において、記録媒体識別情報と、その記憶媒体から音声信号を再生するときに適用したエフェクトタイプと、を新たに記憶する記憶領域がなくなってしまう場合がある。そのような場合、本発明の再生装置は、最も長い間アクセスされなかった記録媒体に関する情報を廃棄し、その情報が記憶されていた記憶領域に新たな記録媒体に関する情報を記録する。最も長い間使用されていない記録媒体を検出できるように、本発明の再生装置は、テーブルにインデックス値（その名称は任意である。）を記憶する。インデックス値を参照することによって、最もアクセスの古い記録媒体情報を上書きすることを可能とする。
【００４４】
例えば、記録媒体を認識する度に、その記録媒体を表す記録媒体識別情報と対応付けられたインデックス値を初期値（例えば「０」）にリセットし、それ以外のインデックス値に所定値（例えば「１」）を加算する。これにより、インデックス値が大きいほど、対応する記憶媒体へのアクセスが古いことが示される。
【００４５】
本発明は、更に上記の再生装置と実質的に同一で同一の効果を生じる再生方法を実現できるという作用を有する。
【発明の効果】
【００４６】
本発明の再生装置及び再生方法は、ＣＤやＤＶＤ等の記録媒体に記録されたデジタル音声信号を再生する場合に、ディスクジョッキー（ＤＪ）等のユーザによってターンテーブルに加えられた押圧力又は回転力による回転速度の変化に応じて音声信号の周波数対ゲイン特性を変更して出力することで、あたかもアナログレコードの回転速度を手で強制的に変化させたかのような操作感及び再生音を得ることができるという有利な効果を奏する。
【００４７】
本発明の再生装置及び再生方法は、音声信号にターンテーブルの回転速度に応じた特性変更処理を施すことにより、ターンテーブルをスクラッチ（回転方向の前後に素早く動かすこと）した時、あたかもアナログレコードをスクラッチしたかのような再生音を出力することができるという有利な効果を奏する。本発明によれば、アナログレコードプレーヤでの演奏及び再生音及びスクラッチ音に慣れ親しんだユーザを満足させる再生装置及び再生方法を実現できるという有利な効果が得られる。
【００４８】
更に、本発明の再生装置及び再生方法は、音声信号に、アナログレコードの規格であるＲＩＡＡ特性やアナログレコードの種々の針（カートリッジ）が持つ周波数対ゲイン特性に基いた周波数対ゲイン特性変更処理を施すことで、よりアナログレコードプレーヤに近い再生音及びスクラッチ音を出力することができ、かつ多彩なヴァリエーションでユーザを満足させることができる、という有利な効果を奏する。
【００４９】
また更に、本発明の再生装置及び再生方法において、記憶媒体から読み出した固有情報（例えばトラック情報）を用いて、記憶媒体に固有の記録媒体識別情報を生成し、最後に設定されたエフェクトタイプを記録媒体識別情報に対応付けて記憶し、再生装置が次に同じ記録媒体識別情報を有する記録媒体を認識した時は、前回のエフェクトタイプを再生信号に適用する。これにより、過去に再生した記録媒体を次に再生する場合にエフェクトタイプの設定を行う必要がない、という有利な効果が得られる。
【発明を実施するための最良の形態】
【００５０】
以下本発明の実施をするための最良の形態を具体的に示した実施の形態について、図面とともに記載する。
【００５１】
《実施の形態１》
図１〜図１７を用いて、本発明の実施の形態１の再生装置及び再生方法について説明する。図１は、本発明の実施の形態１の再生装置の構成の概略を示す図である。実施の形態１の再生装置は、ＣＤプレーヤである。図１において、１は操作入力表示部、２は再生部、３はターンテーブル回転検知部、４は音声出力部（スピーカ）である。
【００５２】
操作入力表示部１は、操作入力部５、及び表示部６を有する。操作入力部５は、再生キー、停止キー、エフェクトの有効／無効を切り替えるためのエフェクト有効／無効切替キー、ユーザがエフェクトタイプを選択するためのエフェクトタイプ切替キー（各キーは図示しない）を有する。エフェクトが有効である場合、ターンテーブル１７の回転数変化に応じて再生された音声信号を後述の特性で変更する（ＤＪプレイ有効）。エフェクトが無効である場合、ターンテーブル１７の回転数変化にかかわらず、音声信号を変更しない（ＤＪプレイ無効）。表示部６は、記録媒体の再生状況、エフェクトの有効／無効、選択されているエフェクトタイプの数字・名称・特徴等を表示するための液晶表示パネルである。操作入力部５の各キーは、押下して入力するものでも接触により入力するものでも良く、またタッチパネル等の表示部６と一体化したものでも良い。エフェクトタイプの特徴とは、例えば周波数対ゲイン特性のグラフ、又はエフェクトを言葉で表示したもの等であり、エフェクトが無効に設定されている場合は何も表示しないか、又は無効であることを表す文字等を表示する。
【００５３】
音声出力部４は、再生部から入力される音声信号を出力する出力装置、スピーカである。音声出力部４は、再生装置の外部に接続されるものでも、内蔵されるものでも良い。
【００５４】
ターンテーブル回転検知部３は、ターンテーブル１７、第１のモータ１８、第１のモータ駆動部１９、及び回転速度検出部２０を有する。第１のモータ駆動部１９は再生部２の制御部１１からの指令を受け、第１のモータ１８を一定回転速度で回転させ又は停止させる。
【００５５】
図２は、ターンテーブル１７の概略的な平面図及び正面図である。ターンテーブル１７は、再生装置の筐体の上部に取り付けられている。ターンテーブル１７は、スリップ面２５を有する。ディスクジョッキー（ＤＪ）等のユーザは、スリップ面２５に対して押圧力又は回転力を加えて操作することによって、無負荷時（ユーザがスリップ面２５を操作していない時）に一定速度で回転しているターンテーブル１７の回転を加速又は減速又は停止又は逆回転可能である。
【００５６】
実施の形態１において、ターンテーブルの大きさはアナログレコードプレーヤのターンテーブルと同じ大きさにする。即ちターンテーブルの径を、アナログレコードの直径よりもやや大きな径とする。ターンテーブルの回転数はアナログレコードプレーヤのターンテーブルの回転数と同一（典型的には４５ｒｐｍ又は３３＋（１／３）ｒｐｍ）である。４５ｒｐｍと３３＋（１／３）ｒｐｍとは、操作入力部５のスイッチ（図示しない。）で切り替える。ターンテーブル１７の回転トルクをアナログレコードプレーヤのターンテーブルの回転トルクと同じに設定する。
【００５７】
次に、回転速度検出部２０を説明する。図３に回転速度検出部２０の詳細な構成のブロック図を示す。図３において、回転速度検出部２０は、光センサ３０及びパルスカウンタ３１を有する。一方、外周に沿って多数のスリットを配設した円板が、ターンテーブル１７と同軸に配設されている（図示しない。）。光センサ３０は、ターンテーブル１７とともに回転する円板の回転を検出可能な位置に設置され、互いに９０度位相のずれた位置に配設された２組の発光ダイオードとフォトトランジスタとからなる光カプラを有する。各光カプラは、ターンテーブル１７のスリット２３を通過する光を検出する。光カプラのフォトトランジスタは、所定量以上の光量を検出した時にＯＮ、それ以外の場合にＯＦＦとなる。光センサ３０を構成する２組の光カプラは、２相のパルス信号を出力する。
【００５８】
パルスカウンタ３１は、一定時間（例えば０．１秒）毎に、入力される２相のパルス信号のうちのいずれかのパルス信号の立ち上がりエッジをカウントする。また、Ｄフリップフロップを用いて、１相のパルス信号の立ち上がりエッジで他の１相のパルス信号をラッチすることにより、ターンテーブル１７が正方向回転であるか又は負方向回転であるかを判定することができる。パルスカウンタ３１は、一定時間が経過する毎にカウントしたパルス数と正方向回転か又は負方向回転かの情報（まとめて「回転速度情報」と呼ぶ。）とを再生部２の制御部１１に出力する。
【００５９】
回転速度検出部２０の構成は、実施の形態１の構成に限られず、任意である。例えば外周に沿って多数の磁極を着磁した円板状の磁石をターンテーブル１７と同軸に配設し、２個の磁界又は磁束を検出する磁気検出素子によって磁極の移動を検出し、所定時間内のパルス数をカウントすることによってターンテーブルの回転方向と回転速度とを検出する構成であっても良い。
【００６０】
再生部２は、第２のモータ８、第２のモータ駆動部９、光ピックアップ２２、信号再生部１０、制御部１１、特性変更部１２、記憶部１６、トラバースモータ駆動部２３、及びトラバースモータ２４を有する。
【００６１】
制御部１１は再生装置全体を制御する。制御部１１は、操作入力部５より種々の指令を入力し、ターンテーブル回転検知部３から回転速度情報を入力し、第１のモータ駆動部１９のＯＮ／ＯＦＦ指令を出力し、表示部６に表示指令を送り、再生部２を制御する。
【００６２】
制御部１１は、記録媒体７が装着された状態で、操作入力部５の再生キーが押下された場合、第２のモータ制御部９に回転を開始する指示を出力し、エフェクトが有効であれば、更に第１のモータ制御部１９に回転を開始する指示を出力し、信号再生部１０にテンポ信号に応じた読出速度制御信号を出力する。再生中に再度再生キーが押下された場合、制御部１１は、信号再生部１０に、音声信号の読み出し動作を停止する指示を出力する。
【００６３】
停止キーが押下された場合、制御部１１は、第１のモータ制御部１９及び第２のモータ制御部９に回転を停止する指示を出力する。取出しキーが押下された場合、制御部１１は、記録媒体７を再生装置の外部に排出するよう装着機構駆動ユニット（図示しない）に指示する。
【００６４】
制御部１１は、エフェクト有効／無効キーが押下された場合、エフェクトの有効／無効（ＤＪプレイの有効／無効）を切り替える。ＤＪプレイが有効である場合、ターンテーブル１７の回転数変化に応じて記録媒体７から読み出す音声信号の再生速度を変化させ、且つ再生された音声信号を後述の特性で変更させるよう、再生部２を制御する。再生時、制御部１１は、ＤＪプレイが無効である場合、ターンテーブル１７の回転数変化にかかわらず記録媒体７から一定の再生速度で音声信号を読み出し、平坦な（一定の）周波数対ゲイン特性で音声信号を増幅し、出力するよう、再生部２を制御する。
【００６５】
制御部１１は、テンポ算出部２１及び識別ＩＤ算出部１５を有する。実施の形態１において制御部１１はマイクロコンピュータであり、テンポ算出部２１及び識別ＩＤ算出部１５の機能は、プログラムによって実行される。
テンポ算出部２１は、回転速度検知部２０から入力した回転速度情報に基づいて、テンポ信号を生成する。テンポ信号は、入力された現在の単位時間当たりのパルス数をターンテーブルの標準回転速度（無負荷時の回転数）における単位時間当たりのパルス数で割った値に、ターンテーブルの回転方向が正回転か負回転かの情報を付した信号である。
【００６６】
制御部１１の識別ＩＤ算出部１５は、信号再生部１０から記録媒体に記録されている曲（トラック）のトラック情報を入力し、各トラックの演奏時間の秒数を用いて所定の演算を実行して識別ＩＤを生成する。相異なる２つの記録媒体で、各トラックの秒数が全て同じ値となる可能性は極めて少ない故に、識別ＩＤを記録媒体固有のＩＤ情報とみなすことができる。
【００６７】
制御部１１は、エフェクトタイプ切替キー（操作入力部５）が押下された場合、エフェクトタイプをタイプ１〜タイプ８の範囲で切り替える。エフェクトタイプ切替キーは１〜８に割り当てられたタイプを昇順に選択するプラスキーと、降順に選択するマイナスキーとを有する。プラスキーが押下されると一つ上の番号のタイプに切り替える。これに代えて、エフェクトタイプ切替キーが１つのキーのみを有し、サイクリックにタイプ１〜タイプ８を選択するものでも良い。
【００６８】
記憶部１６は、過去に認識された記録媒体７を表す識別ＩＤと、エフェクトの有効／無効と、その記録媒体７から読み出した再生信号に対して最後に設定したエフェクトタイプと、インデックス値とを対応付けたテーブルを記憶する。図９にテーブルの一例を示す。
【００６９】
記憶部１６の記憶容量は限られており、所定量以上の記録媒体情報を記憶することができない。記憶部１６に空き記録領域が無くなった場合、アクセスが最も古い記録媒体情報を廃棄し、その記録媒体情報が記録されている記録領域に新たな記録媒体情報を上書きすることが好ましい。制御部１１は、装着された記憶媒体７の識別ＩＤを認識する度に、テーブルに同一の識別ＩＤがあるか否かを調べ、同一の識別ＩＤがあれば、その識別ＩＤに対応するインデックス値を「０」にし、それ以外の識別ＩＤに対応するインデックス値に「１」を加算する。これにより、インデックス値が最大である記録媒体情報が最もアクセスが古いと判定できる。
【００７０】
これに代えて、記憶媒体から音声信号を再生してテーブルに記載されたエフェクトタイプを読み出した最後の日時をテーブルに書き込んでも良い。
テーブルに装着された記憶媒体７の識別ＩＤと同一の識別ＩＤがなければ、最もアクセスが古い記録媒体情報を廃棄し、その記録媒体情報が記録されている記録領域に新たな記録媒体情報を上書きする。
【００７１】
制御部１１は、特性変更部１２にエフェクト有効／無効信号、エフェクトタイプ信号、及びテンポ信号を出力する。
【００７２】
第２のモータ８は、着脱可能な記録媒体７（例えばＣＤ等）を回転させるスピンドルモータである。第２のモータ駆動部９は、制御部１１から指令に応じて、第２のモータ８の回転を開始し又は停止する。第２のモータ駆動部９は、制御部１１から指令に応じて、第２のモータ８の回転速度（記録媒体７から読み出す音声信号の再生速度）を変化させることができる。
【００７３】
トラバースモータ２４は、光ピックアップ２２をＣＤの半径方向に移動させるリニアモータである。トラバースモータ駆動部２３は、制御部１１から指令に応じて、トラバースモータ２４の駆動を開始し又は停止する。トラバースモータ駆動部２３は、制御部１１から指令に応じて、移動速度（記録媒体７から読み出す音声信号の再生速度）を変化させることができる。
【００７４】
光ピックアップ２２は、記録媒体７から音声信号とトラック情報とを読み出す。信号再生部１０は、光ピックアップ２２が読み出した誤り訂正符号化され圧縮された音声信号を誤り訂正復号化し伸長して出力し、トラック情報を誤り訂正して出力する。信号再生部１０は、復号化され伸長された音声信号を特性変更部１２へ、トラック情報を制御部１１へ各々出力する。また、制御部１１からの読出速度制御信号を受けて、正方向及び逆方向に任意の速度で音声信号を読み出すことが可能であり（所謂フォワード再生とリバース再生）、また、音声信号の読み出し速度を変更又は停止可能である。周知のように、リバース再生時であっても、第２のモータ８の回転方向が逆回転になることはなく、信号再生部１０は、内部のデータ処理によって、読み出した音声信号をあたかもアナログレコードを逆回転させた時のような、連続したリバース再生音を出力する。
【００７５】
ＤＪプレイを有効に設定して再生した時、信号再生部１０は、テンポ信号に応じた再生速度で、即ち無負荷時の回転数に対するターンテーブル１７の現在の回転数の比と記録速度とを掛け合わせた再生速度で、音声信号を記録媒体７から再生する。無負荷時の回転数に対するターンテーブル１７の現在の回転数の比と記録時のクロック速度とを掛け合わせたクロック速度で、音声信号が再生成される。従って、再生された音声信号は、原音（記録時の音声信号）から、無負荷時の回転数に対するターンテーブル１７の現在の回転数の比だけ周波数が変化している。
【００７６】
ＤＪプレイを無効に設定して再生した時、信号再生部１０は、ターンテーブル１７の回転数変化にかかわらず記録媒体７から一定の再生速度で音声信号を読み出して、出力する。
【００７７】
特性変更部１２は、ＲＩＡＡ特性処理部１３、及びエフェクト処理部１４とを有する。ＲＩＡＡ特性処理部１３は、制御部１１からテンポ信号と、エフェクト有効／無効信号とを入力し、信号再生部１０から音声信号を入力する。ＲＩＡＡ特性処理部１３は、制御部１１から入力された各信号に応じて、音声信号にＲＩＡＡ規格に基いた特性変更処理を施し、エフェクト処理部１４に出力する。エフェクト処理部１４は、制御部１１からエフェクト有効／無効信号と、エフェクトタイプ信号とを入力し、ＲＩＡＡ特性処理部１３から音声信号を入力する。エフェクト処理部１４は、制御部１１から入力された各信号に応じて、選択されたエフェクトタイプに対応する特性変更処理を音声信号に施し、音声出力部４に出力する。
【００７８】
エフェクト有効／無効信号は、エフェクトが有効か無効かを示す信号である。前記タイプ選択信号は、タイプ１からタイプ８までの８通りのエフェクトタイプのいずれか１タイプを示す信号である。ＲＩＡＡ特性処理部１３、及びエフェクト処理部１４についての詳細な動作は後述する。
【００７９】
ＤＪプレイを有効に設定して再生する時、制御部１１は、生成したテンポ信号に比例した再生速度を算出し、算出した読み出し速度を指示する読出速度制御信号を信号再生部１０に出力する。一般に、第２のモータ８及びトラバースモータ２４をＤＪプレイに合わせて駆動することはできない。信号再生部１０は、バッファメモリ（ＲＡＭ）を有し、あらかじめある程度バッファメモリに蓄積した音声信号を読出速度制御信号に応じて（ＤＪプレイに合わせて）再生出力する。制御部１１は、バッファメモリ（ＲＡＭ）が空にならないように、第２のモータ駆動部９及びトラバースモータ駆動部２３に駆動指令を送る。
【００８０】
次に、図４〜図１３を用いて、特性変更部１２のＲＩＡＡ特性処理部１３及びエフェクト処理部１４の構成及び詳細な動作について説明する。
【００８１】
図４は、ＲＩＡＡ特性処理部１３の詳細な構成を示すブロック図である。図４において、ＲＩＡＡ特性処理部１３は、第１の係数決定部４１、第１の係数設定部４２、第１のデジタルフィルタ４３、第２のデジタルフィルタ４４、第３のデジタルフィルタ４５、及び出力ゲイン調整部４６を有する。
【００８２】
第１の係数決定部４１は、制御部１１からエフェクト有効／無効信号及びテンポ信号を入力し、各デジタルフィルタ４３〜４５の係数値及び出力ゲイン調整部４６の係数値を示す係数情報を算出し、第１の係数設定部４２に出力する。第１の係数設定部４２は、第１の係数決定部４１から入力される係数情報が変化した時に、各デジタルフィルタ４３〜４５及び出力ゲイン調整部４６の各係数を係数情報に従って書き替える。
【００８３】
第１の係数決定部４１は、入力されたエフェクト有効／無効信号が無効の場合、テンポ信号に関係なく、各デジタルフィルタ４３〜４５及び出力ゲイン調整部４６において入力信号と出力信号が同一（スルー）となるような係数情報を出力する。また、エフェクト有効／無効信号が有効の場合、入力されるテンポ信号の値が変更される毎に、テンポ信号に応じて所定の演算を行い、各係数情報を決定して出力する。この演算は、アナログレコードの回転速度を変化させた時にアナログレコードプレーヤが出力するようなスクラッチ音と同様の周波数対ゲイン特性を持つように、予めプログラムされている。
【００８４】
実施の形態１において第１の係数決定部４１は、ＲＩＡＡ（Recording Industry Association of America：全米レコード協会）規格のイコライジング特性である第１の周波数対ゲイン特性と、ＲＩＡＡ規格のイコライジング特性の逆特性である第２の周波数対ゲイン特性とを記憶する。いずれか一方のみを記憶し、それから他方を演算により導出しても良い。
第１の周波数対ゲイン特性及び第２の周波数対ゲイン特性は、それぞれ平坦でなく且つ２つの特性を合成した周波数対ゲイン特性は平坦である。
【００８５】
第１の係数決定部４１は、記録時に音声信号を第１の周波数対ゲイン特性でイコライジングし、更に再生時に記録時と較べて周波数が無負荷時の回転数に対するターンテーブル１７の現在の回転数の比だけ変化した音声信号を、第２の周波数対ゲイン特性でイコライジングした場合に、再生された音声信号が受けた記録及び再生のイコライジングを合成した周波数対ゲイン特性と同一の特性を実現する係数情報を算出する。ＲＩＡＡ特性処理部１３は、この周波数対ゲイン特性で音声信号の特性変更処理を施す。再生された音声信号が受けた記録及び再生のイコライジングを合成した周波数対ゲイン特性は、例えば図１２及び図１３に示す特性である。
【００８６】
テンポ信号が標準の回転速度を示す場合、各デジタルフィルタ４３〜４５及び出力ゲイン調整部４６においてスルーとなる係数情報を出力する。
【００８７】
図５は、各デジタルフィルタ４３〜４５、及び後述の図７における各デジタルフィルタ７３〜７５の具体的な構成を示す図である。図５において、デジタルフィルタ４３〜４５及びデジタルフィルタ７３〜７５は、それぞれ３個の増幅器を有し、各増幅器は可変の係数を持つ。第１の係数設定部４２（又は後述する第２の係数設定部７２）から入力される係数情報に従って各係数を変更することにより、入力された音声信号のフィルタリング特性（周波数対ゲイン特性）が変化する。
【００８８】
図６は、出力ゲイン調整部４６の具体的な構成を示す図である。図６において、出力ゲイン調整部４６は、可変の係数（増幅率）を有する増幅器を有する。係数を変更することにより、入力された信号に対して、全周波数帯域でゲインを加減する。
【００８９】
ここで、各デジタルフィルタ４３〜４５及び出力ゲイン調整部４６における動作の一例として、ターンテーブル１７の回転速度が標準速度の２倍である場合を例に取って説明する。
【００９０】
まず、背景技術で述べたように、アナログレコードプレーヤにおいては、アナログレコードの回転速度が２倍である時、再生信号が処理される記録及び再生イコライジング特性を合成した周波数対ゲイン特性は、図１２に示す特性となる。ＲＩＡＡ特性処理部１３は、３つのデジタルフィルタ４３〜４５を例えば下記の様に設定して、図１２に示す周波数対ゲイン特性を実現する。
【００９１】
第１のデジタルフィルタ４３は、低域通過フィルタに設定される。第１のデジタルフィルタ４３の周波数対ゲイン特性は、５０Ｈｚ以下においてゲインが０ｄＢで、５０Ｈｚ〜１００Ｈｚにおいてゲインが−６ｄＢ／ｏｃｔでリニアに減少し、１００Ｈｚ以上でゲインが−６ｄＢで一定になる様に設定される。
【００９２】
第２のデジタルフィルタ４４は、高域通過フィルタに設定される。第２のデジタルフィルタ４４の周波数対ゲイン特性は、５００Ｈｚ以下においてゲインが０ｄＢで、５００Ｈｚ〜１０００Ｈｚにおいてゲインが６ｄＢ／ｏｃｔでリニアに増大し、１０００Ｈｚ以上でゲインが６ｄＢで一定になる様に設定される。
【００９３】
第３のデジタルフィルタ４５は、低域通過フィルタに設定される。第３のデジタルフィルタ４５の周波数対ゲイン特性は、２１２０Ｈｚ以下においてゲインが０ｄＢで、２１２０Ｈｚ〜４２４０Ｈｚにおいてゲインが−６ｄＢ／ｏｃｔでリニアに減少し、４２４０Ｈｚ以上でゲインが−６ｄＢで一定になる様に設定される。
ＲＩＡＡ特性処理部１３は、入力された音声信号に３つのデジタルフィルタ４３〜４５によるフィルタリング処理を施した後、出力ゲイン調整部４６に出力する。
【００９４】
出力ゲイン調整部４６は、第３のデジタルフィルタ４５から入力された音声信号を全の周波数帯域についてゲインを６ｄＢ上げるように周波数対ゲイン特性を変更して出力する。
【００９５】
図４の各デジタルフィルタ４３〜４５及び出力ゲイン調整部４６の周波数対ゲイン特性を合成した特性は、図１２に示されるアナログレコードプレーヤで回転速度を２倍とした時の周波数対ゲイン特性と一致する。なお、ターンテーブルの回転速度が標準速度の２倍である場合、出力ゲイン調整部４６のゲインが６ｄＢに設定されている故に、図１２に示すゲインはＲＩＡＡの記録イコライザと再生イコライザとを合成した値より６ｄＢ高い。
【００９６】
同様に、ターンテーブルの回転速度が標準速度の１／２倍である場合、各デジタルフィルタ４３〜４５及び出力ゲイン調整部４６とに適当な係数を設定することにより、図１３に示されるアナログレコードプレーヤで回転速度を１／２倍とした時の周波数対ゲイン特性と同一の周波数対ゲイン特性を実現する。なお、ターンテーブルの回転速度が標準速度の１／２倍である場合、出力ゲイン調整部４６のゲインが−６ｄＢに設定されている故に、図１３に示すゲインはＲＩＡＡの記録イコライザと再生イコライザとを合成した値より６ｄＢ低い。
【００９７】
すなわち、本発明の再生装置は、従来例２の再生装置における記録イコライザ及び再生イコライザで行う処理を、一組のデジタルフィルタの係数を変更することによって実現するため、従来例２の再生装置に比べて、フィルタをソフトウエアで実現する場合に処理時間が短く、フィルタをハードウエアで実現する場合に安価である。
【００９８】
次に、エフェクト処理部１４の動作について説明する。図７は、エフェクト処理部１４の詳細な構成を示すブロック図である。エフェクト処理部１４は、第２の係数決定部７１、第２の係数設定部７２、第４のデジタルフィルタ７３、第５のデジタルフィルタ７４、第６のデジタルフィルタ７５、及び係数記憶部７６を有する。
エフェクト処理部１４は、ＲＩＡＡ特性処理部１３から、適切なＲＩＡＡ特性処理を行った後の音声信号を入力し、制御部１１から操作入力部５の入力キーによる入力に応じたエフェクトタイプ信号、エフェクト有効／無効信号を入力する。
【００９９】
第２の係数決定部７１は、制御部１１からエフェクト有効／無効信号及びエフェクトタイプを入力し、各デジタルフィルタ７３〜７５の係数値の係数情報を第２の係数設定部７２に出力する。
【０１００】
入力されたエフェクト有効／無効信号が無効を示す場合、エフェクト処理部１４は、音声信号をそのまま出力する。第２の係数決定部７１は、入力されたエフェクトタイプに関係なく、各デジタルフィルタ７３〜７５においてスルーとなる係数情報を第２の係数設定部７２に出力する。入力されたエフェクト有効／無効信号が有効を示す場合、エフェクト処理部１４は、入力されたエフェクトタイプ信号に応じて、音声信号にエフェクト処理を行って出力する。第２の係数決定部７１は、入力されたエフェクトタイプに対応する係数情報を係数記憶部７６から読み出して第２の係数設定部７２に出力する。第２の係数設定部７２は、第２の係数決定部７１から入力される係数情報が変化する度に、デジタルフィルタ７３〜７５の係数を係数情報に従って各々書き替える。
【０１０１】
係数記憶部７６は、エフェクトタイプ１〜８を実現するための各デジタルフィルタ７３〜７５の係数を記憶する。係数記憶部７６に記憶された記憶情報の一例を図８に示す。図８において、第４のデジタルフィルタ７３におけるエフェクトタイプ１〜８の係数情報８０、及び、第５のデジタルフィルタ７４におけるエフェクトタイプ１〜８の係数情報８１を示す。デジタルフィルタ７３〜７５の係数が変更されると、それに応じて各々の周波数対ゲイン特性が変わる。
デジタルフィルタ７３〜７５は、図５の構成を有する。
【０１０２】
タイプ１が選択されている場合、各デジタルフィルタ７３〜７５においてスルーとなる係数情報を第２の係数設定部７２に出力する。すなわち、デジタルフィルタ７５から出力される再生信号は、ＲＩＡＡ特性処理部１３におけるＲＩＡＡ特性変更処理のみが行われた再生信号である。タイプ２からタイプ８までは、市販の種々のアナログレコードの針（カートリッジ）やアナログレコードのアームによる周波数対ゲイン特性を再現するものであり、例えば、再生信号を広帯域化する、一般にＷＩＤＥ  ＲＡＮＧＥと呼ばれるエフェクト等である。
【０１０３】
次に、図１４、図１６及び図１７を用いて、以上のように構成された本発明の再生装置の動作について説明する。
【０１０４】
図１４は、本発明の実施の形態１の再生装置のＤＪプレイ有効時の再生方法を示すフローチャートである。まず、第１のモータ１８を回転駆動し、ターンテーブル１７を回転させる（Ｓ１４０１）。次に、回転速度検出部２０が、ターンテーブル１７の回転速度を検出する（Ｓ１４０２）。信号再生部１０は、ターンテーブル１７の回転速度に応じた速度で音声信号を記録媒体７から読み出す（Ｓ１４０３）。ＲＩＡＡ特性処理部１３は、回転速度に基づいて周波数対ゲイン特性を算出し（Ｓ１４０４）、算出した周波数対ゲイン特性で音声信号を変更（処理）する（Ｓ１４０５）。
【０１０５】
次に、エフェクト処理部１４は、エフェクトが有効であり且つタイプ２からタイプ８のいずれかのエフェクトタイプが選択されているか否かを判断する（Ｓ１４０６）。エフェクトが無効であり又はタイプ１のエフェクトタイプが選択されていれば（タイプ２からタイプ８のエフェクトタイプが選択されていなければ）、エフェクト処理部１４は入力した音声信号をスルーで出力する。Ｓ１４０８に進む。エフェクトが有効であり且つタイプ２からタイプ８のいずれかのエフェクトタイプが選択されていれば、Ｓ１４０７に進む。エフェクト処理部１４は、選択されたエフェクトタイプに応じた係数で音声信号を変更（処理）し、選択されたエフェクトを生じさせる（Ｓ１４０７）。音声信号を出力する（Ｓ１４０８）。
【０１０６】
図１６、１７を用いて、音声信号の処理方法について説明する。図１６は、本発明の実施の形態１の再生装置のエフェクト設定方法を説明するフローチャートである。まず、第２のモータの回転を開始し（Ｓ１６０１）、記録媒体（実施の形態１においてＣＤ）７を回転させる。記録媒体７からトラック情報を読み出す（Ｓ１６０２）。識別ＩＤ算出部１５は、読み出したトラック情報から識別ＩＤを算出し（Ｓ１６０３）、それと同一の識別ＩＤを、記憶部１６のテーブルにおいて検索する（Ｓ１６０４）。
【０１０７】
次に、算出した識別ＩＤと同一の識別ＩＤが記憶部１６内のテーブルに見つかったか否かを調べる（Ｓ１６０５）。算出した識別ＩＤと同一の識別ＩＤが見つかった場合は、テーブルに記載された記憶情報に従って、エフェクトの有効／無効及びエフェクトタイプをエフェクト処理部１４に設定し（Ｓ１６０６）、Ｓ１６０９に進む。記憶部１６内のテーブルに算出した識別ＩＤと同一の識別ＩＤが見つからなかった場合は、エフェクトの有効／無効を無効に、エフェクトタイプをタイプ１に設定する（Ｓ１６０７）。記憶部１６のテーブルに、新規データとして、装着されたＣＤの識別ＩＤ、エフェクトの有効／無効、及びエフェクトタイプを追加記憶する（Ｓ１６０８）。
Ｓ１６０８において、テーブルの記憶容量が足りない場合は、インデックス値に基づいて、テーブルの中で最もアクセスが古い記憶情報を検索してそれを放棄し、その記録領域に新たな記憶情報を上書き記録する。
Ｓ１６０９に進む。
【０１０８】
次に、再生装置内に挿入された記憶媒体７の識別ＩＤに対応するテーブルのインデックス値を「０」にし、テーブル内においてそれ以外の識別ＩＤに対応する全てのインデックス値に「１」を加算する（Ｓ１６０９）。
【０１０９】
次に、操作者がエフェクト処理部１４の設定変更を指示したか否かを判断する（Ｓ１６１０）。操作者がエフェクト処理部１４の設定変更を指示していなければ、図１７のＳ１７０１に進む。操作者がエフェクト処理部１４の設定変更を指示していれば、制御部１１は、エフェクト処理部１４の設定を変更する（Ｓ１６１１）。制御部１１は、記憶部１６内のテーブルの記憶情報を変更する（Ｓ１６１２）。図１７のＳ１７０１に進む。
【０１１０】
図１７を用いて、特性変更部１２による音声信号の処理方法の詳細を説明する。図１７は、本発明の実施の形態１における特性変更部１２による音声信号の処理方法を説明するフローチャートである。最初に、第１のモータの回転を開始する（Ｓ１７０１）。信号再生部１０は、記録媒体７から音声信号を読み出す（Ｓ１７０２）。
【０１１１】
次に、エフェクトが無効であるか否かを調べ（Ｓ１７０３）、無効であれば記録媒体７から読み取った音声信号をそのまま出力する（Ｓ１７０４）。無効でなければ（有効であれば）、ＲＩＡＡ特性処理部１３は、ターンテーブル１７の回転速度に応じて再生音声信号に対してＲＩＡＡ特性に基く周波数対ゲイン特性変更処理を実行する（Ｓ１７０４）。
【０１１２】
更に、エフェクトタイプがタイプ１であるか否かを調べ（Ｓ１７０５）、タイプ１であれば音声信号をそのまま出力する（Ｓ１７０７）。タイプ１でなければ、選択されたタイプ２〜タイプ８のうちのいずれかのエフェクトタイプに基く周波数対ゲイン特性変更処理を実行し（Ｓ１７０６）、音声信号を出力する（Ｓ１７０７）。
【０１１３】
《実施の形態２》
図１５を用いて、実施の形態２の再生装置及び再生方法を説明する。実施の形態２の再生装置及び再生方法は、ＤＪプレイ有効時の再生方法のみが実施の形態１と異なる。それ以外の点において、実施の形態２の再生装置及び再生方法は、実施の形態１と同一である。
本発明のＤＪプレイ有効時の再生方法を説明する。図１５は、本発明の再生装置のＤＪプレイ有効時の再生方法を示すフローチャートである。まず、第１のモータ１８を回転駆動し、ターンテーブル１７を回転させる（Ｓ１５０１）。次に、回転速度検出部２０が、ターンテーブル１７の回転速度を検出する（Ｓ１５０２）。信号再生部１０は、ターンテーブル１７の回転速度に応じた速度で音声信号を記録媒体７から読み出してバッファに格納する（Ｓ１５０３）。信号再生部１０は、音声信号をその周波数が変わらないように補間してバッファから読み出す（Ｓ１５０４）。ＲＩＡＡ特性処理部１３は、回転速度に基づいて周波数対ゲイン特性を算出し（Ｓ１５０５）、算出した周波数対ゲイン特性で音声信号を変更（処理）する（Ｓ１５０６）。
【０１１４】
次に、エフェクト処理部１４は、エフェクトが有効であり且つタイプ２からタイプ８のいずれかのエフェクトタイプが選択されているか否かを判断する（Ｓ１５０７）。エフェクトが無効であり又はタイプ１のエフェクトタイプが選択されていれば（タイプ２からタイプ８のエフェクトタイプが選択されていなければ）、エフェクト処理部１４は入力した音声信号をスルーで出力する。Ｓ１５０９に進む。エフェクトが有効であり且つタイプ２からタイプ８のいずれかのエフェクトタイプが選択されていれば、Ｓ１５０８に進む。エフェクト処理部１４は、選択されたエフェクトタイプに応じた係数で音声信号を変更（処理）し、選択されたエフェクトを生じさせる（Ｓ１５０８）。音声信号を出力する（Ｓ１５０９）。
【０１１５】
以上のように、本発明の再生装置は、ディスクジョッキー（ＤＪ）等のユーザが自走するターンテーブル１７に回転力及び押圧力を与えることによって、ターンテーブルの回転速度が変化すると、その回転速度に応じて、記録媒体７から読み取った音声信号に対してＲＩＡＡ特性に基いた周波数対ゲイン特性変更処理を行う。これにより、ユーザにあたかもアナログレコードプレーヤを操作しているかのような操作感及びスクラッチ音を得ることが出来、アナログレコードでの演奏及びスクラッチ音に慣れ親しんだユーザを満足させるものである。本発明の再生装置の構成は、処理時間が短く、かつ安価な構成である。
【０１１６】
更に、本発明の再生装置は、アナログレコードのカートリッジによる再生音を再現する複数のエフェクトタイプを選択することができ、あたかもアナログレコードプレーヤのカートリッジを付け替えた時のような機能を有する。また、エフェクト処理を無効にしたり、エフェクトタイプを切り替えることができるため、曲の特徴やユーザの好みに応じて柔軟に対応することが可能である。
【０１１７】
更に、本発明の再生装置は、エフェクトの有効／無効及びエフェクトタイプの情報を、記録媒体に固有の識別ＩＤと対応付けて記憶部に記憶する。再生装置が次に同じ識別ＩＤを有する記録媒体を認識した時は、前回の設定情報を読み込む。これにより、過去に再生した記録媒体を次に再生する場合にエフェクトタイプの設定を行う必要がない。
【０１１８】
なお、本実施の形態では、円盤状の記録媒体に記憶されているデータを再生する場合を例にとって説明したが、本発明の構成はＣＤやＤＶＤ等の円盤状の記録媒体に限定するものではなく、例えばＳＤメモリカードやハードディスクに記憶されている音声情報を再生する場合にも適用可能である。再生装置は、記録機能を有していても良い。
【産業上の利用可能性】
【０１１９】
本発明は、例えば、ＣＤやＤＶＤ等のストレージ媒体に記録されたデジタル音声信号を再生し、かつ、アナログレコードプレーヤと同様の操作感覚で演奏可能なＤＪ（ディスクジョッキー）用機器に利用することができる。
【図面の簡単な説明】
【０１２０】
【図１】本発明の実施の形態における再生装置の構成の概略を示すブロック図
【図２】本発明の実施の形態における再生装置のターンテーブルの概略的な平面図及び正面図
【図３】本発明の実施の形態における再生装置の回転速度検出部の構成の詳細を示すブロック図
【図４】本発明の実施の形態における再生装置のＲＩＡＡ特性処理部の構成の詳細を示すブロック図
【図５】本発明の実施の形態における再生装置のデジタルフィルタの構成の詳細を示すブロック図
【図６】本発明の実施の形態における再生装置の出力ゲイン調整部の構成の詳細を示すブロック図
【図７】本発明の実施の形態における再生装置のエフェクト処理部の構成の詳細を示すブロック図
【図８】本発明の実施の形態における、エフェクトタイプ毎のデジタルフィルタの係数の例を示す図
【図９】本発明の実施の形態における、記憶部で記憶される識別ＩＤ毎のエフェクトタイプ及びインデックス値の例を示す表
【図１０】再生速度が標準速度の時の記録時及び再生時の周波数対ゲイン特性変更を示す図
【図１１】（ａ）再生速度が２倍の時の記録時及び再生時の周波数対ゲイン特性変更を示す図  （ｂ）再生速度が１／２倍の時の記録時及び再生時の周波数対ゲイン特性変更を示す図
【図１２】再生速度が２倍の時の周波数対ゲイン特性を示す図
【図１３】再生速度が１／２倍の時の周波数対ゲイン特性を示す図
【図１４】本発明の実施の形態１の再生装置のＤＪプレイ有効時の再生方法を示すフローチャート
【図１５】本発明の実施の形態２の再生装置のＤＪプレイ有効時の再生方法を示すフローチャート
【図１６】本発明の実施の形態の再生装置のエフェクト設定方法を説明するフローチャート
【図１７】本発明の実施の形態における特性変更部による音声信号の処理方法を説明するフローチャート
【符号の説明】
【０１２１】
１  操作入力表示部
２  再生部
３  ターンテーブル回転検知部
４  音声出力部
５  操作入力部
６  表示部
７  記録媒体
８  第２のモータ
９  第２のモータ駆動部
１０  信号再生部
１１  制御部
１２  特性変更部
１３  ＲＩＡＡ特性処理部
１４  エフェクト処理部
１５  識別ＩＤ算出部
１６  記憶部
１７  ターンテーブル
１８  第１のモータ
１９  第１のモータ駆動部
２０  回転速度検出部
２１  テンポ算出部
２２  光ピックアップ
２３  トラバースモータ駆動部
２４  トラバースモータ
２５  スリップ面
３０  光センサ
３１  パルスカウンタ
４１  第１の係数決定部
４２  第１の係数設定部
４３、４４、４５、７３、７４、７５  デジタルフィルタ
４６  出力ゲイン調整部
７１  第２の係数決定部
７２  第２の係数設定部
７６  係数記憶部
【図１】
2005346772.tif 000003
【図２】
2005346772.tif 000004
【図３】
2005346772.tif 000005
【図４】
2005346772.tif 000006
【図５】
2005346772.tif 000007
【図６】
2005346772.tif 000008
【図７】
2005346772.tif 000009
【図８】
2005346772.tif 000010
【図９】
2005346772.tif 000011
【図１０】
2005346772.tif 000012
【図１１】
2005346772.tif 000013
【図１２】
2005346772.tif 000014
【図１３】
2005346772.tif 000015
【図１４】
2005346772.tif 000016
【図１５】
2005346772.tif 000017
【図１６】
2005346772.tif 000018
【図１７】
2005346772.tif 000019